(57)【要約】【課題】  比較的軟質のシートを巻き付けた場合でも段差跡が残り難い軟質シート巻き取り用円筒体を提供する。【解決手段】  軟質シート１４をロール状に巻き取る円筒体１０であって、円筒体本体１１の外周に補助シート１２を巻き付けてなり、該補助シート１２は少なくともその終端側１２ａが終端に向かって次第に厚さが薄くなるテーパー状に形成され、補助シート１２の終端部１２ａとその手前側１２ｃを円筒体本体１１側と接着しない非接着部とする。補助シート１２はその始端側１２ｂが始端に向かって次第に厚さが薄くなるテーパー状に形成するとよい。【選択図】  図４
2011236041.tif 000002
【特許請求の範囲】
【請求項１】
軟質シートをロール状に巻き取る円筒体であって、円筒体本体の外周に補助シートを巻き付けてなり、該補助シートは少なくともその終端側が終端に向かって次第に厚さが薄くなるテーパー状に形成され、補助シートの終端部とその手前側を前記円筒体本体側と接着しない非接着部としたことを特徴とする軟質シート巻き取り用円筒体。
【請求項２】
補助シートはその始端側が始端に向かって次第に厚さが薄くなるテーパー状に形成されてなる請求項１に記載の軟質シート巻き取り用円筒体。
【請求項３】
補助シートは円筒体本体一周分よりも多く巻いてなる請求項１又は２に記載の軟質シート巻き取り用円筒体。
【発明の詳細な説明】
【技術分野】
【０００１】
本発明は、レザーシートなどの軟質シートをロール状に巻き取るために用いる軟質シート巻き取り用円筒体に関するものである。
【背景技術】
【０００２】
従来、ロール状記録用紙用紙管として、図５に示すように、紙管１の外周に発泡スチレン等のへこみ易い材料からなる緩衝材３が巻かれた構成を有し、より効果を高めるために、緩衝材３に段差、溝、スリット等が設けられたものが知られている。緩衝材３を介して用紙２を巻くことにより、用紙２の先端部２ａは巻き取りのテンションにより緩衝材に食い込み、２巻き目以降のロール用紙の巻き始め部分の段差を減らし、用紙２の変形を押さえるようにするものである。
【０００３】
かかる紙管を用いてロール状記録用紙を巻き取る場合には、ロール状記録用紙が比較的硬質なため段差跡が残り難くいと考えられるが、レザーシートなどの比較的軟質のシート材を巻き取る場合は、段差跡が残ってしまう。
【先行技術文献】
【特許文献】
【０００４】
【特許文献１】特開２０００−３１８９３０号公報
【発明の概要】
【発明が解決しようとする課題】
【０００５】
そこで、本発明の目的は、比較的軟質のシートを巻き取った場合でも段差跡が残り難い軟質シート巻き取り用円筒体を提供することにある。
【課題を解決するための手段】
【０００６】
上記課題を解決するため、本発明による軟質シート巻き取り用円筒体は、軟質シートをロール状に巻き取る円筒体であって、円筒体本体の外周に補助シートを巻き付けてなり、該補助シートは少なくともその終端側が終端に向かって次第に厚さが薄くなるテーパー状に形成され、補助シートの終端部とその手前側を前記円筒体本体側と接着しない非接着部としたこと、を特徴としている。
ここで、補助シートはその始端側が始端に向かって次第に厚さが薄くなるテーパー状に形成するとよい。
また、補助シートは円筒体本体一周分よりも多く巻くとよい。
【発明の効果】
【０００７】
本発明による軟質シート巻き取り用円筒体によれば、円筒体本体の外周に巻き付けた補助シートは少なくともその終端側が終端に向かって次第に厚さが薄くなるテーパー状に形成されてなるので、軟質シートの始端を補助シートで挟んで巻き取っていくと、軟質シートの巻き始めの始端部の段差は補助シートによってカバーされ、補助シートの終端部では段差はなく、巻き戻した軟質シートに段差跡はほとんど残らない。
補助シートの始端側も始端に向かって次第に厚さが薄くなるテーパー状に形成すれば、補助シートの始端部での段差もなくなる。
また、補助シートを円筒体本体一周分よりも多く巻けば、補助シートの始端部で粘着材が多少はみ出しても、２巻き目の補助シートでカバーされるため、巻き取り対象物たる軟質シートに粘着材が付着することがない。また、補助シートの始端部をテーパー加工していない場合でも、２巻き目の補助シートが補助シートの始端部の段差をカバーすることができる。
【図面の簡単な説明】
【０００８】
【図１】本発明の第１実施例による軟質シート巻き取り用円筒体の部分断面図。
【図２】本発明の第１実施例による軟質シート巻き取り用円筒体の使用状態を示す部分断面図。
【図３】本発明の第２実施例による軟質シート巻き取り用円筒体の部分断面図。
【図４】本発明の第２実施例による軟質シート巻き取り用円筒体の使用状態を示す部分断面図。
【図５】従来例によるロール状記録用紙用紙管の部分断面図。
【発明を実施するための形態】
【０００９】
以下、本発明を実施するための形態を図面に基づいて具体的に説明する。図１に示す本発明の第１実施例による軟質シート巻き取り用円筒体１０は、円筒体本体１１の外周に補助シート１２を１周と１／４周ほど巻き付けたもので、該補助シート１２はその終端側１２ａが終端に向かって次第に厚さが薄くなるテーパー状に形成（テーパー加工）してある。
補助シート１２は、円筒体本体１１の外周に両面粘着テープ１３で接着して巻き付けてある。接着箇所は、補助シート１２の始端部１２ｂと、１周目と２周目の重なり部との２箇所としてある。そして、補助シート１２の終端部１２ａとその手前側の部分（１２ｃ）は非接着部とし、巻き取り対象物たる軟質シート１４の巻き始め端部（始端部）１４ａを挟み込むための挟持部（１２ｃ）としてある。
図１においては、補助シート１２の始端１２ｂにはその厚さ分の段差があるが、２巻き目の補助シート１２によって該段差部分がカバーされるので、該部分での段差は殆ど残らない。
図３に示した第２実施例による軟質シート巻き取り用円筒体１０では、始端側１２ｂにもテーパー加工を施した補助シート１２を用いている。
【００１０】
補助シート１２は円筒体本体１１一周分より多く巻くようにするのが好ましい。補助シート１２の始端部１２ｂで粘着材１３が多少はみ出した場合でも、２巻き目の補助シート１２でカバーするようにして、巻き取り対象物たる軟質シート１４に粘着材１３が付着しないようにする。また、補助シート１２の始端部１２ｂをテーパー加工していない場合でも（図１）、２巻き目の補助シート１２が補助シート１２の始端部１２ｂの段差をカバーできるようにする。
なお、始端側１２ｂにもテーパー加工を施した補助シート１２では、一周分より少なくても、段差解消が可能である。
【００１１】
円筒体本体１１は、紙管原紙により形成した紙管でもよく、プラスチック製円筒体でもよい。直径は５０〜１００ｍｍ程度である。
補助シート１２は比較的硬質の紙材（紙管原紙、ライナー紙など）が好ましいが、比較的硬質のプラスチックシート材でもよい。厚さは０．５〜１ｍｍ程度が好ましい。
端部に向かって次第に厚さが薄くなるように形成するテーパー加工（スカイバー加工）は、補助シート１２の端部１２ａ，１２ｂをサンドペーパーで研削することにより加工できるが、他の方法によりテーパー加工を施してもよい。テーパー加工を施す幅（Ｗ）は１０〜２０ｍｍ程度とする。
巻き取り用円筒体１０に巻き取られるシート１４は、軟質のシート、例えば、レザーシート等が挙げられ、厚さは、０．３〜２ｍｍ程度のものを巻き取り対象としている。
【００１２】
かかる構造の軟質シート巻き取り用円筒体１０を用いて軟質シート１４を巻き取るには、軟質シート１４の始端１４ａを補助シート１２の終端部１２ａとその手前側の挟持部１２ｃに挟みこみ、巻き取っていけばよい。このとき、軟質シート１４の始端部１４ａの段差は、巻き取られるシート１４が軟質であり、補助シート１２によってカバーされるため、軟質シート１４の始端部で段差跡が残ることはない。
【００１３】
円筒体の直径５０ｍｍ、補助シート１２として厚さ０．５ｍｍの紙管原紙を用いた図３に示す構造の軟質シート巻き取り用円筒体１０に、厚さ１ｍｍの軟質シート（塩化ビニル樹脂製シート）１４を巻き取り、しかる後巻き戻したところ、巻き戻した軟質シート１４に段差跡は見られず、巻き取った軟質シート１４の全てが使用可能で、無駄な部分を生ずることがなかった。
また、始端部１２ｂにテーパー加工を施していない補助シート１２を用いた他は上記と同様の図１に示す構造の軟質シート巻き取り用円筒体１０に、厚さ１ｍｍの軟質シート（塩化ビニル樹脂製シート）１４を巻き取り、しかる後巻き戻したところ、最初の数巻分だけ、補助シート１２の始端部１２ｂで僅かに段差跡が残った程度であった。
【符号の説明】
【００１４】
１０  軟質シート巻き取り用円筒体
１１  円筒体本体
１２  補助シート
１２ａ  補助シートの終端部
１２ｂ  補助シートの始端部
１３  粘着材（粘着テープ）
１４  軟質シート
１４ａ  軟質シートの始端部
【図１】
2011236041.tif 000003
【図２】
2011236041.tif 000004
【図３】
2011236041.tif 000005
【図４】
2011236041.tif 000006
【図５】
2011236041.tif 000007